(57)【要約】【課題】  私設無線通信システムの加入者が移動公衆網に発信呼を試みる場合に、リンクするＰＳＴＮ及びインターネット網に呼を転送することにより、安価で便利なサービスの提供が可能なようにする。【解決手段】  私設無線通信システムのサービス領域内に位置する無線端末から発信呼を受信した場合に、受信した発信呼の種類に従って、当該私設無線通信システムにリンクするＰＳＴＮ網またはインターネット網に該当発信呼をルーティングする呼処理手段を備え、前記呼処理手段は、前記ＰＳＴＮ網及びインターネット網のリンク状態を点検して、そのリンク状態情報を保存・管理する網状態管理部と、前記発信呼の種類に従って、該当発信呼をＰＳＴＮ網またはインターネット網に転送する呼処理部と、前記受信された発信呼の種類に従って、該当発信呼を前記呼処理部にルーティングするルーティング処理部と、を備える構成とする。【選択図】  図２
2006074771.tif 000002
【特許請求の範囲】
【請求項１】
私設無線通信システムであって、
私設無線通信システムのサービス領域内に位置する無線端末から発信呼を受信した場合に、受信した発信呼の種類に従って、当該私設無線通信システムにリンクするＰＳＴＮ網またはインターネット網に該当発信呼をルーティングする呼処理手段を備え、
前記呼処理手段は、前記ＰＳＴＮ網及びインターネット網のリンク状態を点検して、ＰＳＴＮ網及びインターネット網のリンク状態情報を保存・管理する網状態管理部と、前記発信呼の種類に従って、該当発信呼をＰＳＴＮ網またはインターネット網に転送する呼処理部と、前記受信された発信呼の種類に従って、該当発信呼を前記呼処理部にルーティングするルーティング処理部と、を備えること
を特徴とする私設無線通信システム。
【請求項２】
前記ルーティング処理部は、前記無線端末から受信した発信呼の種類が音声発信呼である場合には、当該音声発信呼に移動公衆網サービス識別番号が含まれている否かを分析し、移動公衆網サービス識別番号が含まれている場合には、該当音声発信呼を移動公衆網にルーティングすること
を特徴とする請求項１に記載の私設無線通信システム。
【請求項３】
前記ルーティング処理部は、前記音声発信呼に移動公衆網サービス識別番号が含まれておらず、且つ前記網状態管理部に保存されたＰＳＴＮ網のリンク状態情報に基づき当該ＰＳＴＮ網のリンク状態が正常でないと判定した場合に、該当音声発信呼を移動公衆網にルーティングすること
を特徴とする請求項２に記載の私設無線通信システム。
【請求項４】
前記ルーティング処理部は、前記無線端末から受信した発信呼の種類がデータ発信呼である場合には、前記網状態管理部に保存されたインターネット網のリンク状態情報に基づき当該インターネット網のリンク状態が正常でないと判定した場合に、該当データ発信呼を移動公衆網にルーティングすること
を特徴とする請求項１に記載の私設無線通信システム。
【請求項５】
ＰＳＴＮ網／インターネット網及び、移動公衆網（ＰＬＭＮ）の各々とリンクする私設無線通信システムにおける呼処理装置であって、
前記ＰＳＴＮ網及びインターネット網のリンク状態を点検して、ＰＳＴＮ網及びインターネット網のリンク状態情報を保存・管理する網状態管理部と、
前記無線端末からの発信呼の種類に従って、該当発信呼を前記ＰＳＴＮ網またはインターネット網に転送する呼処理部と、
前記無線端末からの発信呼を受信した場合に、受信した発信呼の種類に従って、該当発信呼を前記呼処理部または前記移動公衆網にルーティングするルーティング処理部と、を含むこと
を特徴とする私設無線通信システムにおける呼処理装置。
【請求項６】
前記ルーティング処理部は、前記無線端末から受信した発信呼の種類が音声発信呼である場合には、当該音声発信呼に移動公衆網サービス識別番号が含まれているか否かを分析し、移動公衆網サービス識別番号が含まれている場合には、該当音声発信呼を移動公衆網にルーティングすること
を特徴とする請求項５に記載の私設無線通信システムにおける呼処理装置。
【請求項７】
前記ルーティング処理部は、前記音声発信呼に移動公衆網サービス識別番号が含まれておらず、且つ前記網状態管理部に保存されたＰＳＴＮ網のリンク状態情報に基づき当該ＰＳＴＮ網のリンク状態が正常でないと判定した場合に、該当音声発信呼を移動公衆網にルーティングすること
を特徴とする請求項６に記載の私設無線通信システムにおける呼処理装置。
【請求項８】
前記ルーティング処理部は、前記無線端末から受信した発信呼の種類がデータ発信呼である場合には、前記網状態管理部に保存されたインターネット網のリンク状態情報に基づき当該インターネット網のリンク状態が正常でないと判定した場合に、該当データ発信呼を移動公衆網にルーティングすること
を特徴とする請求項５に記載の私設無線通信システムにおける呼処理装置。
【請求項９】
前記網状態管理部は、
ＰＳＴＮ網とリンクされ、当該ＰＳＴＮ網とのリンク状態を点検すると共に、無線端末からの音声発信呼をＰＳＴＮ網に転送するＰＳＴＮ中継部と、
インターネット網とリンクされ、当該インターネット網とのリンク状態を点検すると共に、無線端末からのデータ発信呼をインターネット網に転送するインターネット中継部と、
前記ＰＳＴＮ中継部及びインターネット中継部で点検して取得した、ＰＳＴＮ網及びインターネット網のリンク状態情報を保存・管理するＰＳＴＮ／インターネット状態管理部と、を含むこと
を特徴とする請求項５に記載の私設無線通信システムにおける呼処理装置。
【請求項１０】
前記ルーティング処理部は、加入している無線端末の詳細情報を保存しており、呼接続してきた無線端末の認証処理を実行する認証処理部を含むこと
を特徴とする請求項５に記載の私設無線通信システムにおける呼処理装置。
【請求項１１】
私設無線通信システムにおける呼処理方法であって、
無線端末からの発信呼を受信した場合に、受信した発信呼が音声呼であるか又はデータ呼であるかを判定するステップと、
前記受信した発信呼の種類が音声呼である場合には該当発信呼をリンクするＰＳＴＮ網に転送し、発信呼の種類がデータ呼である場合には該当発信呼をリンクするインターネット網に転送するステップと、を含むこと
を特徴とする私設無線通信システムにおける呼処理方法。
【請求項１２】
前記無線端末から受信した発信呼が音声呼である場合には、前記無線端末が私設無線通信システムに加入しているか否かの認証処理を実行すると共に、受信した該当音声呼に移動公衆網サービス識別番号が含まれているか否かを判定するステップと、
該当音声呼に移動公衆網サービス識別番号が含まれていない場合には、現在のＰＳＴＮ網とのリンク状態が正常であるか否かを判定するステップと、
ＰＳＴＮ網とのリンク状態が正常であると判定した場合に、該当音声呼をＰＳＴＮ網に転送するステップと、をさらに含むこと
を特徴とする請求項１１に記載の私設無線通信システムにおける呼処理方法。
【請求項１３】
前記音声呼に移動公衆網サービス識別番号が含まれている場合、前記ＰＳＴＮ網とのリンク状態が正常ではない場合及び、前記無線端末の認証に失敗した場合には、受信した音声呼を移動公衆網にルーティングするステップをさらに含むこと
を特徴とする請求項１２に記載の私設無線通信システムにおける呼処理方法。
【請求項１４】
前記受信された発信呼がデータ呼である場合には、無線端末の認証を実行するステップと、
前記認証の後、リンクするインターネット網のリンク状態が正常であるか否かを判定するステップと、
前記インターネット網とのリンク状態が正常であると判定した場合に、該当データ呼をインターネット網に転送するステップと、をさらに含むこと
を特徴とする請求項１１に記載の私設無線通信システムにおける呼処理方法。
【請求項１５】
前記インターネット網とのリンク状態が正常ではない場合及び、前記無線端末の認証に失敗した場合には、受信したデータ呼を移動公衆網にルーティングするステップをさらに含むこと
を特徴とする請求項１４に記載の私設無線通信システムにおける呼処理方法。
【請求項１６】
私設無線通信システムにおける呼処理方法であって、
無線端末からの音声呼接続要求メッセージを受信した場合、受信した音声呼接続要求メッセージに移動公衆網サービス識別番号情報が含まれているか否かを判定するステップと、
前記音声呼接続要求メッセージに移動公衆網サービス識別番号情報が含まれていないと判定した場合、リンクするＰＳＴＮ網のリンク状態が正常であるか否かを点検するステップと、
前記点検の結果に基づきＰＳＴＮ網とのリンク状態が正常であると判定した場合、受信した音声呼接続要求メッセージをＰＳＴＮ網に転送するステップと、を含むこと
を特徴とする私設無線通信システムにおける呼処理方法。
【請求項１７】
前記音声呼接続要求メッセージに移動公衆網サービス識別番号情報が含まれていないと判定した場合、無線端末が私設無線通信端末に加入しているか否かの認証処理を実行し、認証に失敗した場合及び現在のＰＳＴＮ網とのリンク状態が正常でないと判定した場合に、受信した音声呼接続要求メッセージを移動公衆網にルーティングするステップをさらに含むこと
を特徴とする請求項１６に記載の私設無線通信システムにおける呼処理方法。
【請求項１８】
私設無線通信システムにおける呼処理方法であって、
無線端末からのデータ呼接続要求メッセージを受信した場合、該当無線端末が私設無線通信システムに加入しているか否かの認証処理を実行するステップと、
前記認証に成功した場合、リンクするインターネット網とのリンク状態が正常であるか否かを点検するステップと、
前記点検の結果に基づきインターネット網とのリンク状態が正常であると判定した場合、受信したデータ呼接続要求メッセージをインターネット網に転送するステップと、を含むこと
を特徴とする私設無線通信システムにおける呼処理方法。
【請求項１９】
前記無線端末の認証に失敗した場合及び、現在のインターネット網とのリンク状態が正常でないと判定した場合には、受信したデータ呼接続要求メッセージを移動公衆網にルーティングするステップをさらに含むこと
を特徴とする請求項１８に記載の私設無線通信システムにおける呼処理方法。
【請求項２０】
私設無線通信システムにおける呼処理方法であって、
無線端末からの呼接続要求メッセージを受信した場合、この呼接続要求メッセージに移動公衆網サービスのための識別情報が含まれているか否かを判定するステップと、
前記識別情報が含まれていないと判定した場合、受信した呼接続要求メッセージが音声呼接続要求メッセージであるか又はデータ呼接続要求メッセージであるかを判定するステップと、
前記無線端末が私設無線通信システムに加入しているか否かの認証処理を実行するステップと、
前記無線端末が私設無線通信システムに加入しており、且つ受信した呼接続要求メッセージが音声呼接続要求メッセージである場合には、該当呼接続要求メッセージをリンクするＰＳＴＮ網に転送するステップと、
前記無線端末が私設無線通信システムに加入しており、且つ受信した呼接続要求メッセージがデータ呼接続要求メッセージである場合には、該当呼接続要求メッセージをリンクするインターネット網に転送するステップと、を含むこと
を特徴とする私設無線通信システムにおける呼処理方法。
【発明の詳細な説明】
【技術分野】
【０００１】
本発明は、私設（区内）無線通信システム（private wireless communication system）における呼処理装置及びその方法に関し、より詳しくは、私設無線通信システムの加入者が移動公衆網（Public Land Mobile Network；ＰＬＭＮ）に発信呼を試みる場合に、私設無線通信システムに連動されたＰＳＴＮ（Public Switched Telephone Network；公衆交換電話網）又はインターネット網に呼を転送させることにより、より一層安価で便利なサービスの提供をユーザーが受けることを可能にした私設無線通信システムにおける呼処理装置及びその方法に関する。
【背景技術】
【０００２】
ビル内(インビル:Ｉｎ-Ｂｕｉｌｄｉｎｇ)などの事務室環境において、無料で音声通話及びデータ通信サービスを提供するためのソリューションとして、有線又は無線の私設交換器（private branch exchange；ＰＢＸ）にＣＤＭＡ-ＲＦ（code division multiple access radio frequency）の技術を組み合わせたシステムが開発されている。
【０００３】
本明細書における私設無線網とは、ビル内などの事務室環境のみに限られず、一定区域内の通信環境（例えば、キャンパス、集団住宅など）をも含む意味である。
【０００４】
このように移動公衆網（ＰＬＭＮ）及び有線／無線私設通信システムが互いに連動する連動システムは、ビル内のいずれの場所にユーザーが移動しても通話が可能である。そして、ユーザーが私設無線通信システムのサービス区域外へ移動した場合には、連動システムは移動公衆網（ＰＬＭＮ）とのハンドオフ（Ｈａｎｄ-Ｏｆｆ）機能を支援する。さらに、文字メッセージサービス（short message service）を利用して緊急伝達情報をユーザーに伝送し、また、イントラネットを構築すれば必要な社内情報を外部から検索することができるなど、多様な付加サービスを提供することが可能になる。
【０００５】
図１は、従来の一般的な、移動公衆網（ＰＬＭＮ）と、無線私設交換器（ＷＰＢＸ）のような私設無線通信システムとの間のネットワーク連結構成を示す図である。
【０００６】
まず、私設無線通信システム２０のサービス区域内に一般者（即ち、私設未加入者）の端末（図示せず）が位置した場合、この私設未加入者は私設無線通信サービスの提供は受けられず、一般的な移動公衆網（ＰＬＭＮ）サービスの提供のみ受けることができる。すなわち、私設無線通信システム２０は、サービス区域内の発信端末が当該私設無線通信システム２０の加入端末であるか否かを判定し、発信端末が未加入端末である場合にはいつも移動公衆網のＢＳＣ（public network base station controller）３０に呼を伝送し、移動公衆網（ＰＬＭＮ）を通じてサービスを受けられるようにする。
【０００７】
一方、前記端末が私設無線通信サービスの加入端末である場合には、当該私設無線通信システム２０のサービス区域内においては、一般的な移動公衆網（ＰＬＭＮ）サービスのみならず、私設無線通信サービスの提供も受けることができる。しかしながら、私設無線通信サービスの提供を受けるためには、既定義された特定の識別番号（私設識別番号）を特別に入力して、ＢＴＳ（Base Station Transceiver）１１を通じて私設無線通信システム２０に伝送することが必要である。
【０００８】
図１に示す従来の私設無線通信システム２０においては、当該私設無線通信システム２０のサービス区域内に位置する加入者端末が、既定義された識別番号（私設識別番号）を入力しないで一般の移動公衆網（ＰＬＭＮ）に発信呼を試みると、ＢＳＣ３０に呼を伝送して当該移動公衆網（ＰＬＭＮ）に接続する。しかし、この場合、移動公衆網（ＰＬＭＮ）のユーザーの立場では利用料金が高いという問題がある。
【０００９】
勿論、私設無線通信サービスの区域内にて安価に通信するために、当該私設無線通信サービスの加入者端末が既定義された特定の識別番号（私設識別番号）を入力することで私設無線通信システム２０を通じてＰＳＴＮ６０に接続することは可能である。即ち、私設無線通信システム２０を通じた通信と、移動公衆網（ＰＬＭＮ）を通じた通信は、ユーザーが選択的に入力する識別番号（私設識別番号、移動公衆網のための識別番号）によって区別する。しかしながら、このためにはユーザーがこの特定の識別番号を予め知っていなくてはならず、且つその識別番号を特別に入力しなければならないという不便さがある。さらに、無線端末の発信者番号表示機能や電話帳機能を利用して発信ボタンのみを押して発信呼を試みる場合には、既定義された特定の識別番号を特別に入力する必要があるため発信し難いという不便さがある。
【００１０】
なお、詳しい説明は省略するが、図１に示す符号１０は移動公衆網（ＰＬＭＮ）のＢＴＳ（Base Station Transceiver）であり、符号４０はＭＳＣ（Mobile Switching Center）であり、また、符号５０はＨＬＲ/ＶＬＲ（Home Location Register/Visitor Location Register）である。
【発明の開示】
【発明が解決しようとする課題】
【００１１】
本発明は上述したような従来技術の問題点を解決するためになされたものであり、その目的は、私設無線通信システムの加入端末を用いて移動公衆網（ＰＬＭＮ）に発信呼を試みた場合に、私設無線通信システムにリンクされたＰＳＴＮ網又はインターネット網に呼を転送することにより、より一層安価で便利なサービスの提供をユーザーが受けることを可能にした私設無線通信システムにおける呼処理装置及び呼処理方法を提供することにある。
【００１２】
また、本発明の他の目的は、私設無線通信サービスのサービス区域内において、当該私設無線通信サービスの加入端末が、既定義された特定の識別番号の入力なしに移動公衆網（ＰＬＭＮ）に音声呼またはデータ呼を要求しても、移動公衆網（ＰＬＭＮ）のＢＳＣには呼を伝送せず、私設無線通信システムとリンクしたＰＳＴＮ網又はインターネット網に呼を転送することにより、より一層安価で便利なサービスの提供を私設無線通信サービス加入者が受けることを可能にした私設無線通信システムにおける呼処理装置及びその方法を提供することにある。
【課題を解決するための手段】
【００１３】
前記目的を達成するための本発明による私設無線通信システムの一側面によれば、私設無線通信システムのサービス領域内に位置する無線端末から発信呼を受信した場合に、受信した発信呼の種類に従って、当該私設無線通信システムにリンクするＰＳＴＮ網またはインターネット網に該当発信呼をルーティングする呼処理手段を備える。
【００１４】
前記呼処理手段は、前記ＰＳＴＮ網及びインターネット網のリンク状態を点検して、ＰＳＴＮ網及びインターネット網のリンク状態情報を保存・管理する網状態管理部と、前記発信呼の種類に従って、該当発信呼をＰＳＴＮ網またはインターネット網に転送する呼処理部と、前記受信された発信呼の種類に従って、該当発信呼を前記呼処理部にルーティングするルーティング処理部と、を備える。
【００１５】
前記ルーティング処理部は、前記無線端末から受信した発信呼の種類が音声発信呼である場合には、当該音声発信呼に移動公衆網サービス識別番号が含まれている否かを分析し、移動公衆網サービス識別番号が含まれている場合には、該当音声発信呼を移動公衆網にルーティングする。
【００１６】
また、前記ルーティング処理部は、前記音声発信呼に移動公衆網サービス識別番号が含まれておらず、且つ前記網状態管理部に保存されたＰＳＴＮ網のリンク状態情報に基づき当該ＰＳＴＮ網のリンク状態が正常でないと判定した場合に、該当音声発信呼を移動公衆網にルーティングする。
【００１７】
前記ルーティング処理部は、前記無線端末から受信した発信呼の種類がデータ発信呼である場合には、前記網状態管理部に保存されたインターネット網のリンク状態情報に基づき当該インターネット網のリンク状態が正常でないと判定した場合に、該当データ発信呼を移動公衆網にルーティングする。
【００１８】
前記網状態管理部は、ＰＳＴＮ網とリンクされ、当該ＰＳＴＮ網とのリンク状態を点検すると共に、無線端末からの音声発信呼をＰＳＴＮ網に転送するＰＳＴＮ中継部と、インターネット網とリンクされ、当該インターネット網とのリンク状態を点検すると共に、無線端末からのデータ発信呼をインターネット網に転送するインターネット中継部と、前記ＰＳＴＮ中継部及びインターネット中継部で点検して取得した、ＰＳＴＮ網及びインターネット網のリンク状態情報を保存・管理するＰＳＴＮ／インターネット状態管理部と、を含む。
【００１９】
前記ルーティング処理部は、加入している無線端末の詳細情報を保存しており、呼接続してきた無線端末の認証処理を実行する認証処理部を含む。
【００２０】
また、本発明によるＰＳＴＮ/インターネット網及び移動公衆網と各々連動される私設無線通信システムにおける呼処理装置の一側面によれば、前記ＰＳＴＮ網／インターネット網及び、移動公衆網（ＰＬＭＮ）の各々とリンクする私設無線通信システムにおける呼処理装置であって、前記ＰＳＴＮ網及びインターネット網のリンク状態を点検して、ＰＳＴＮ網及びインターネット網のリンク状態情報を保存・管理する網状態管理部と、前記無線端末からの発信呼の種類に従って、該当発信呼を前記ＰＳＴＮ網またはインターネット網に転送する呼処理部と、前記無線端末からの発信呼を受信した場合に、受信した発信呼の種類に従って、該当発信呼を前記呼処理部または前記移動公衆網にルーティングするルーティング処理部と、を含む。
【００２１】
一方、本発明による私設無線通信システムにおける呼処理方法の一側面によれば、無線端末からの発信呼を受信した場合に、受信した発信呼が音声呼であるか又はデータ呼であるかを判定するステップと、前記受信した発信呼の種類が音声呼である場合には該当発信呼をリンクするＰＳＴＮ網に転送し、発信呼の種類がデータ呼である場合には該当発信呼をリンクするインターネット網に転送するステップと、を含む。
【００２２】
前記無線端末から受信した発信呼が音声呼である場合には、前記無線端末が私設無線通信システムに加入しているか否かの認証処理を実行すると共に、受信した該当音声呼に移動公衆網サービス識別番号が含まれているか否かを判定するステップと、該当音声呼に移動公衆網サービス識別番号が含まれていない場合には、現在のＰＳＴＮ網とのリンク状態が正常であるか否かを判定するステップと、ＰＳＴＮ網とのリンク状態が正常であると判定した場合に、該当音声呼をＰＳＴＮ網に転送するステップと、をさらに含む。
【００２３】
前記音声呼に移動公衆網サービス識別番号が含まれている場合、前記ＰＳＴＮ網とのリンク状態が正常ではない場合及び、前記無線端末の認証に失敗した場合には、受信した音声呼を移動公衆網にルーティングするステップをさらに含む。
【００２４】
前記受信された発信呼がデータ呼である場合には、無線端末の認証を実行するステップと、前記認証の後、リンクするインターネット網のリンク状態が正常であるか否かを判定するステップと、前記インターネット網とのリンク状態が正常であると判定した場合に、該当データ呼をインターネット網に転送するステップと、をさらに含む。
【００２５】
前記インターネット網とのリンク状態が正常ではない場合及び、前記無線端末の認証に失敗した場合には、受信したデータ呼を移動公衆網にルーティングするステップをさらに含む。
【００２６】
また、本発明による私設無線通信システムにおける呼処理方法の他の側面によれば、無線端末からの音声呼接続要求メッセージを受信した場合、受信した音声呼接続要求メッセージに移動公衆網サービス識別番号情報が含まれているか否かを判定するステップと、前記音声呼接続要求メッセージに移動公衆網サービス識別番号情報が含まれていないと判定した場合、リンクするＰＳＴＮ網のリンク状態が正常であるか否かを点検するステップと、前記点検の結果に基づきＰＳＴＮ網とのリンク状態が正常であると判定した場合、受信した音声呼接続要求メッセージをＰＳＴＮ網に転送するステップと、を含む。
【００２７】
また、本発明による私設無線通信システムにおける呼処理方法の他の側面によれば、無線端末からのデータ呼接続要求メッセージを受信した場合、該当無線端末が私設無線通信システムに加入しているか否かの認証処理を実行するステップと、前記認証に成功した場合、リンクするインターネット網とのリンク状態が正常であるか否かを点検するステップと、前記点検の結果に基づきインターネット網とのリンク状態が正常であると判定した場合、受信したデータ呼接続要求メッセージをインターネット網に転送するステップと、を含む。
【００２８】
また、本発明による私設無線通信システムにおける呼処理方法のまた他の側面によれば、無線端末からの呼接続要求メッセージを受信した場合、この呼接続要求メッセージに移動公衆網サービスのための識別情報が含まれているか否かを判定するステップと、前記識別情報が含まれていないと判定した場合、受信した呼接続要求メッセージが音声呼接続要求メッセージであるか又はデータ呼接続要求メッセージであるかを判定するステップと、前記無線端末が私設無線通信システムに加入しているか否かの認証処理を実行するステップと、前記無線端末が私設無線通信システムに加入しており、且つ受信した呼接続要求メッセージが音声呼接続要求メッセージである場合には、該当呼接続要求メッセージをリンクするＰＳＴＮ網に転送するステップと、前記無線端末が私設無線通信システムに加入しており、且つ受信した呼接続要求メッセージがデータ呼接続要求メッセージである場合には、該当呼接続要求メッセージをリンクするインターネット網に転送するステップと、を含む。
【００２９】
前記音声呼に移動公衆網サービス識別番号が含まれている場合、前記ＰＳＴＮ網とのリンク状態が正常ではない場合及び、前記無線端末の認証に失敗した場合には、受信した音声呼を移動公衆網にルーティングするステップをさらに含む。
【発明の効果】
【００３０】
本発明によれば、私設(区内)無線通信システムの加入者が、当該私設無線通信システムのサービス区域内で既定義された特定の識別番号なしに一般的な移動公衆網（ＰＬＭＮ）に呼を発信しても、移動公衆網（ＰＬＭＮ）に呼を転送しないで、私設無線通信システムとリンクしたＰＳＴＮ網あるいは有線／無線インターネット網に呼を転送することにより、私設無線通信システムの加入者は一般的な移動公衆網サービスを受けようとする際にも、より一層便利で安価なサービスを受けることが可能になる。
【００３１】
また、私設無線通信システムの加入者が、当該私設無線通信システムを通じてＰＳＴＮ網あるいは有線／無線インターネット網に接続しようとする場合にも、既定義された特定の識別番号を知っていなくともよく、知っていたとしても敢えて識別番号を入力しなくともよいので、使用上の便利性を向上することが可能になる。
【００３２】
また、発信者表示が可能な無線端末で識別番号なしに発信ボタンやメニューアイコンだけを選択しても、安価の私設無線通信システムを便利に使用してサービスを受けることが可能になる。
【発明を実施するための最良の形態】
【００３３】
以下、本発明による私設無線通信システムにおける呼処理装置及びその方法に関する好ましい実施形態について、添付図面を参照して詳細に説明する。
【００３４】
図２は、本発明の実施形態に従う私設無線通信システムにおける呼処理装置の構成を示すブロック図である。
【００３５】
図２に示すように、私設無線通信システム２０は、ルータなどのルーティング処理部２１と、ＰＳＴＮ中継部２２と、インターネット中継部２３と、網状態管理部としてのＰＳＴＮ／インターネット状態管理部２４と、ｐＶＬＲ（private Visitor Location Register）処理部２５と、呼処理部２６と、を含む。ここで、前記ルーティング処理部２１、ｐＶＬＲ処理部２４及び呼処理部２６は、呼処理手段を構成する。
【００３６】
ＰＳＴＮ中継部２２は、ＰＳＴＮ網と連結されており、ＰＳＴＮ網と連結された物理的ライン（例えば、Ｅ１／Ｔ１）及びそのリンク状態を点検し、その結果としてのリンク状態情報をＰＳＴＮ／インターネット状態管理部２４に提供する。
【００３７】
インターネット中継部２３は、インターネット網と連結されており、インターネットと連結された種々の物理的ライン及びそのリンク状態を点検し、その結果としてのリンク状態情報をＰＳＴＮ／インターネット状態管理部２４に提供する。
【００３８】
ＰＳＴＮ／インターネット状態管理部２４は、ＰＳＴＮ中継部２２及びインターネット中継部２３から提供されるＰＳＴＮ網及びインターネット網とのリンク状態情報を保存・管理すると共に、私設無線通信システム２０を利用したＰＳＴＮサービス及び無線インターネットサービスの提供が可能であるか否かを監視する。ここで、ＰＳＴＮ網及びインターネット網とのリンク状態情報は、ルーティング処理部２１が行う呼（音声呼／データ呼）のルーティングのための判断基準条件として使用される。
【００３９】
ｐＶＬＲ処理部２５は、私設無線通信サービスの加入者（加入端末）に関する情報を保存・管理しており、私設無線通信サービスの加入者の一人が呼接続を試みた際に、該当加入者の認証処理を実行する。私設無線通信サービスの加入者に関する認証情報は、ルーティング処理部２１による呼ルーティングの判断基準条件として使用される。
【００４０】
ルーティング処理部２１は、ＢＴＳ１１及びＢＳＣ３０と連動しており、無線端末（不図示）からの呼接続要求メッセージを最初に受信する。そして、ルーティング処理部２１は、受信したメッセージを分析して、私設無線通信サービスのための音声呼又はデータ呼を呼処理部２６にルーティングするか、又は移動公衆網（ＰＬＭＮ）サービスを提供するために、移動公衆網のＢＳＣ３０に音声又はデータ呼をルーティングする。
【００４１】
即ち、ルーティング処理部２１は、私設無線通信サービスを要求する呼接続要求メッセージを無線端末から受信した場合には、この呼接続要求メッセージを私設無線通信システム２０の呼処理部２６に伝送し、他方、移動公衆網（ＰＬＭＮ）サービスを要求する呼接続要求メッセージを無線端末から受信した場合には、この呼接続要求メッセージを移動公衆網のＢＳＣ３０にルーティングする。
【００４２】
呼処理部２６は、予め設定された無線接続規格に従って呼処理を実行し、これによって無線端末が呼サービスを受けることができるようにする機能を有している。私設無線通信サービスのための呼である場合、ＰＳＴＮ中継部２２またはインターネット中継部２３を通じて、該当呼をＰＳＴＮ網またはインターネット網に伝送する。ここで、無線端末から受信された呼が音声呼である場合には、該当呼をＰＳＴＮ中継部２２を通じてＰＳＴＮ網に伝送し、他方、受信された呼がデータ呼である場合には、インターネット中継部２３を通じてインターネット網に伝送する。
【００４３】
このように構成された本発明に従う私設無線通信システムにおける呼処理装置の具体的な動作について以下に説明する。
【００４４】
まず、図２に示すように、無線端末（不図示）からの最初の発信呼メッセージ（Origination Message）は、ＢＴＳ１１を通じて私設無線通信システム２０のルーティング処理部２１に伝送される。
【００４５】
ルーティング処理部２１は、無線端末からＢＴＳ１１を通じて伝送される発信呼メッセージを分析し、該当呼が音声呼であるか又はデータ呼であるかを区別する。ここで、無線端末から伝送される発信呼メッセージのフォーマットを図３に示す。
【００４６】
図３は、無線端末から最初の呼続時に伝送される発信呼メッセージの構成を示す図表である。
【００４７】
図３に示した発信呼メッセージのフォーマットについては、３ＧＰＰ（3rd Generation Partnership Project） ＩＳ ２０００の標準規格に定義されている。ＩＳ−２０００は、ＩＳ−９５の第２世代である。ＩＳ−９５（Interim Standard）は、ＣＤＭＡを基盤とする最初のデジタルセルラー標準であるか、今はＩＳ−２０００がとって代わっている。ここで、発信呼メッセージの分析及びデータ呼と音声呼との区別は以下のようになされる。すなわち、図２及び図３に従えば、ルーティング処理部２１は、発信呼メッセージのSERVICE OPTION（サービスオプション）フィールド値を分析して、無線端末からの呼が音声呼であるかデータ呼であるかを区別する。即ち、データ呼と音声呼とを区別する手法としては、例えば、発信呼メッセージのSERVICE OPTIONフィールド値が“３”である場合には音声呼に分類し、“２２”である場合にはデータ呼に分類する。但し、前記“３”と“２２”の値以外にも前記した標準規格に定義された多様な値を用いてデータ呼と音声呼とを区別することができる。
【００４８】
また、上述の例では発信呼メッセージのSERVICE OPTIONフィールドを利用してデータ呼及び音声呼を区別したが、これに限らず別のメッセージフォーマットを定義して、フォーマット内の任意のフィールドを利用して呼の区別を実行することもできる。
【００４９】
以下、該当呼が音声呼である場合における動作について詳しく説明する。
【００５０】
従来の私設無線通信システムでは、受信した発信呼メッセージに既定義された識別番号が付されていなければ、移動公衆網のＢＳＣ３０に音声呼を伝送し、私設無線通信システムではいずれの呼処理も実行しない。
【００５１】
しかしながら、本発明では、受信した発信呼メッセージに既定義された識別番号が付されていなくても、私設無線通信システム２０のルーティング処理部２１において、詳しくは以下で述べる予め設定された条件に該当する呼であると判定した場合には該当呼をＰＳＴＮ網に転送して呼処理する。
【００５２】
前記ルーティング処理部２１に設定された条件について以下に説明する。
【００５３】
第１に、無線端末から受信された発信呼メッセージに移動公衆網（ＰＬＭＮ）で使用する特定の識別番号が含まれているか否かを判定する。仮に、識別番号が移動公衆網（ＰＬＭＮ）のためのものであれば、この無線端末は私設無線通信システム２０を通じたＰＳＴＮ網とのリンクによるサービスは受けられず、ルーティング処理部２１は無線端末から受信した呼メッセージを移動公衆網のＢＳＣ３０に伝送して、移動公衆網（ＰＬＭＮ）を通じて無線端末がサービスを受けられるようにする。
【００５４】
勿論、移動公衆網（ＰＬＭＮ）で使用される特定の識別番号は、移動公衆網プロバイダ毎に異なっているため、これら異なる識別番号の情報をＷＰＢＸ２０が予め有していなければならない。その一例として、ＫＴＦ（mobile communication service provider in Korea）で使用している移動公衆網（ＰＬＭＮ）のための特定の識別番号を図４に示す。
【００５５】
図４は、移動公衆網（ＰＬＭＮ）で使用される識別番号についての一例を示す図である。
【００５６】
即ち、図４に示すように、*８８という識別番号が発信呼メッセージに付された場合には、音声私書箱サービスの要求を意味する。さらに、*７１は着信転送設定のための識別番号を意味し、*７１０は着信転送解除のための識別番号を意味し、*７２は自動リンク設定のための識別番号を意味し、*７２０は自動リンク解除のための識別番号を意味し、*４０は通話中待機設定のための識別番号を意味し、*４００は通話中待機解除のための識別番号を意味する。したがって、ルーティング処理部２１は、無線端末からＢＴＳ１１を通じて呼接続要求メッセージ（発信呼メッセージ）を受信した場合、前記のような識別番号がメッセージに付されているか否かを分析し、いずれかの識別番号が付されている場合には、移動公衆網（ＰＬＭＮ）による呼サービスを無線端末に提供するために、該当呼を移動公衆網のＢＳＣ３０に転送する。
【００５７】
第２に、無線端末が私設無線通信システム２０に加入しているか否かを判定する。即ち、ルーティング処理部２１がｐＶＬＲ処理部２５と連動し、当該無線端末が私設無線通信システム２０に加入しているか否かの認証手続きを実行する。
【００５８】
仮に、当該無線端末が私設無線通信システム２０に加入しておらず認証に失敗した場合、私設無線サービスは提供することができず、移動公衆網のＢＳＣ３０に当該無線端末の発信呼メッセージを転送し、移動公衆網（ＰＬＭＮ）を通じた呼サービスを受けられるようにする。
【００５９】
第３に、ルーティング処理部２１は、ＰＳＴＮ中継部２２の状態を点検する。基本的に無線端末からの呼接続要求メッセージに私設無線通信システム２０で使用される識別番号が付されていない場合にも移動公衆網（ＰＬＭＮ）のサービスを提供できるので、ＰＳＴＮ中継部２２の状態が不調であるがためにＰＳＴＮ網を通じた安価のサービス提供が不可能な状況であれば、移動公衆網のＢＳＣ３０に該当呼をルーティングして移動公衆網（ＰＬＭＮ）のサービスを受けられるようにし、これにより私設無線通信システムの加入者が通信するにおいて不便がないようにする。ここで、ＰＳＴＮ中継部２２によるＰＳＴＮ網の状態（ライン、リンク状態など）の点検は周期的に実行することもでき、回線やリンクの断切などのハードウエア的異常に基づく事態が発生した場合にこれを自動的に検出し、ＰＳＴＮ網の状態情報をＰＳＴＮ／インターネット状態管理部２４に自動的に伝送するようにすることもできる。
【００６０】
ルーティング処理部２１は、上述のような３種類の条件を満たすか否かを確認した後、私設無線通信システム２０を通じてＰＳＴＮサービスを提供可能な呼と判定した場合には、無線端末から受信した呼接続要求メッセージを呼処理部２６に伝送する。
【００６１】
一方、上述の例では３種類の条件をすべて確認し、これらすべての条件が満たされる場合にのみＰＳＴＮサービスを提供するようにしたが、端末認証を実行する過程は、ユーザー及びプロバイダ間の設定に基づく選択的条件とすることができる。即ち、該当ＰＳＴＮ網への呼転送サービスを無料で提供する場合には、端末認証は必須条件として定義しなくてもよい。
【００６２】
呼処理部２６は、ルーティング処理部２１によりルーティングされた無線端末からの呼接続要求メッセージを、ＰＳＴＮ中継部２２を通じてＰＳＴＮ網に伝送する。なお、ＰＳＴＮ網での呼処理動作は一般的な呼処理動作と同じであるので、その詳細な説明は省略する。
【００６３】
結局、ＢＴＳ１１を通じて無線端末からの呼接続要求メッセージを受信した場合、私設無線通信システム２０のルーティング処理部２１は、上述した３種類の条件判定を通じて、該当呼を私設無線通信システム２０で処理し、ＰＳＴＮ網に転送するか、又は移動公衆網のＢＳＣ３０に転送して処理するかを決めるする。
【００６４】
即ち、私設無線通信システム２０のルーティング処理部２１は、無線端末からＢＴＳ１１を通じて受信される呼接続要求メッセージに移動公衆網（ＰＬＭＮ）のための特定の識別番号が含まれているか否かを判定し、特定の識別番号が含まれている場合には、該当呼接続要求メッセージを移動公衆網のＢＳＣ３０にルーティングする。
【００６５】
一方、ルーティング処理部２１は、受信された無線端末からの呼接続要求メッセージに移動公衆網（ＰＬＭＮ）のための特定の識別番号が含まれない場合には、該当無線端末が私設無線通信システム２０に加入しているか否かについての認証処理を実行する。即ち、ルーティング処理部２５は、受信された呼接続要求メッセージに含まれる当該無線端末の端末情報が、ｐＶＬＲ処理部２５に保存されている端末情報の中のいずれかと一致するか否かを確認して端末認証を実行する。ここで、認証処理は網管理者の設定に従って選択的に実行することができ、ｐＶＬＲ処理部２５に保存された端末情報の一例としては、制限されることはないが、端末電話番号情報、私設(区内)電話番号情報、ＥＳＮ情報、端末の状態（位置）情報の中の少なくとも一つの情報を含むことができる。
【００６６】
仮に、当該無線端末が私設無線通信システム２０に加入しておらず認証に失敗すれば、ルーティング処理部２１は該当呼を移動公衆網のＢＳＣ３０にルーティングする。他方、認証に成功した場合には、該当呼を私設無線通信システム２０の呼処理部２６にルーティングする。このとき、ルーティング処理部２１は、無線端末の認証を行った後、ＰＳＴＮ／インターネット状態管理部２４を点検して現在のＰＳＴＮ網とのリンク状態が正常であるか否か、即ち、ＰＳＴＮ網の物理的ラインやリンク状態が正常であるか否かを判定する。そして、リンク状態が正常であると判定した場合には該当呼を呼処理部２６にルーティングし、反対に正常ではないと判定した場合には該当呼を移動公衆網のＢＳＣ３０にルーティングする。
【００６７】
結局、端末認証に成功し且つ現在のＰＳＴＮのリンク状態が正常であると判定した場合には、呼処理部２６は、ルーティング処理部２１によってルーティングされた無線端末からの音声呼接続要求メッセージを、ＰＳＴＮ中継部２２を通じてＰＳＴＮ網に伝送し、無線端末がＰＳＴＮ網を通じて音声サービスを受けるられるようにする。
【００６８】
続いて、ＢＴＳ１１を通じて無線端末から受信した発信呼メッセージにおける、図３に示すようなSERVICE OPTIONフィールドに付された値をルーティング処理部２１により分析し、そして該当呼がデータサービスのためのデータ呼接続要求メッセージと判定した場合のこのデータ呼のルーティング動作について以下に説明する。
【００６９】
まず、無線端末によってデータ呼の発信を試みた場合、データ呼接続要求メッセージ（発信呼メッセージ）は、ＢＴＳ１１を通じて私設無線通信システム２０のルーティング処理部２１に受信される。
【００７０】
ルーティング処理部２１は、詳しくは以下に述べる前記発信呼メッセージが予め設定された条件を満足するか否かを判定する。その結果、発信呼メッセージが設定条件を満足する場合には、私設無線通信システム２０の資源を使用してインターネット網に連動することにより、ユーザーに安価の無線インターネットサービスを提供する。
【００７１】
ルーティング処理部２１に予め設定された条件について以下に説明する。
【００７２】
第１に、データ呼は移動公衆網（ＰＬＭＮ）で使用するいずれの識別番号も含まないので、データ呼の発信端末が私設無線通信システム２０に加入している無線端末であるか否かを判定する。
【００７３】
仮に、発信端末がＷＰＢＸ２０に加入した端末ではない場合、ルーティング処理部２１は、受信された無線端末からのデータ呼を移動公衆網のＢＳＣ３０にルーティングして、無線端末が移動公衆網（ＰＬＭＮ）を通じてデータサービスを受けられるようにする。
【００７４】
第２に、インターネット中継部２３の状態を点検する。即ち、ルーティング処理部２１は、ＰＳＴＮ／インターネット状態管理部２４を点検して現在のインターネット網とのリンク状態を確認し、ＷＰＢＸＷ２０のインターネットとのリンクに異常が発生して無線インターネットサービスを提供することができない状態であると判定した場合には、無線端末からのデータ呼接続要求メッセージを移動公衆網のＢＳＣ３０に伝送する。これにより、無線端末に安価のサービスを提供することが不可能な状況にあっても、移動公衆網（ＰＬＭＮ）を通じてデータサービスを可能にすることによって、無線インターネットサービスを使用するにおいて私設無線通信システムの加入者に不便がないようにする。
【００７５】
このような過程を通じて、私設無線通信システム２０を通じてインターネットデータサービスの提供が可能であると判定された場合には、ルーティング処理部２１は、無線端末から受信した発信呼メッセージを私設無線通信システム２０の呼処理部２６にルーティングする。
【００７６】
呼処理部２６は、ルーティングされた無線端末からの呼接続要求メッセージに基づき、無線インターネット網を通じてサーバー（図示せず）にアクセスして、予め設定された呼処理手続きを通じてデータサービスを実行する。ここで、サーバーは、私設無線通信システム２０のＰＤＳＮ（Packet Data Serving Node、図示せず）を通じて連結された私設（区内）インターネットサーバーであることもでき、一般のプロバイダが運営するコンテンツサーバーであることもできる。
【００７７】
結局、私設無線通信システム２０のサービス区域内に位置した無線端末へのデータ呼サービスの動作について要約すれば、まず、ルーティング処理部２１がＢＴＳ１１を通じて無線端末からの呼接続要求メッセージ（発信呼メッセージ）を受信する。
【００７８】
そして、ルーティング処理部２１は、受信された呼接続要求メッセージを分析し、該当呼がデータ呼であるか又は音声呼であるを判定する。その結果、受信した呼がデータサービスのための呼接続要求メッセージである場合には、ルーティング処理部２１は、該当無線端末が私設無線通信システム２０に加入しているか否かを判定する。即ち、ルーティング処理部２１は、受信した呼接続要求メッセージに含まれる無線端末情報を抽出し、抽出された無線端末情報とｐＶＬＲ２５に保存された端末情報と比較して、該当無線端末の認証処理を実行する。
【００７９】
仮に、該当無線端末が私設無線通信システム２０に加入しておらず認証処理が失敗した場合、ルーティング処理部２１は、移動公衆網（ＰＬＭＮ）を通じて該当無線端末がデータサービスを受けられるように該当呼を移動公衆網のＢＳＣ３０にルーティングする。
【００８０】
一方、該当無線端末の認証が成功すれば、ルーティング処理部２１は、ＰＳＴＮ／インターネット状態管理部２４を点検して現在の無線インターネット網とのリンク状態が正常であるか否かを確認する。
【００８１】
もし、無線インターネット網とのリンク状態が正常である場合、ルーティング処理部２１は、受信されたデータ呼接続要求メッセージを呼処理部２６に伝送し、そして、呼処理部２６は、該当呼をインターネット中継部２３を通じてインターネット網に伝送する。即ち、インターネット網を通じて無線端末をインターネットコンテンツサーバーに接続して、ユーザーが希望するデータサービスを提供することとなる。
【００８２】
一方、本発明の他の実施形態として、ユーザーが移動公衆網（ＰＬＭＮ）を通じた音声サービス及びデータサービスを希望するような場合には、無線端末又は無線端末の表示部に該当サービスを要求するためのボタンまたはアイコンを設置しておき、該当ボタンまたはアイコンを選択した場合には、無線端末は発信呼メッセージまたは別に定義されたメッセージの任意のフィールドに該当サービスの種類情報を付して発信する。
【００８３】
そして、私設無線通信システム２０のルーティング処理部２１は、発信呼メッセージに付されたサービスの種類情報を分析し、該当情報が付されている場合には、すべての音声呼及びデータ呼を移動公衆網のＢＳＣ３０にルーティングする。
【００８４】
また、無線端末に前記追加ボタンを設置する代わりに、無線端末と私設無線通信システム２０のルーティング処理部２１に各々同一の識別番号を定義しておき、該当識別番号が付された呼接続要求メッセージが受信された場合には、該当呼を無条件に移動公衆網のＢＳＣ３０にルーティングする。
【００８５】
続いて、本発明に従う私設無線通信システムにおける呼処理装置の動作に対応する本発明に従う呼処理方法について、添付図面を参照して段階的に説明する。
【００８６】
図５は、本発明に従う私設無線通信システムにおける呼処理方法のフローチャートである。
【００８７】
まず、私設無線通信システムは、ＢＴＳを通じて、無線端末からの私設(区内)識別番号情報を含まない呼接続要求メッセージ、即ち、図３に示す発信呼メッセージを受信する(ステップＳ１０１)。
【００８８】
私設無線通信システムは、ＢＴＳを通じて受信された発信呼メッセージのSERVICE OPTIONフィールドの値を分析して、受信された呼接続要求メッセージがデータ呼接続要求メッセージであるか又は音声呼接続要求メッセージであるかを判定する(ステップＳ１０２)。
【００８９】
該判定の結果、受信された呼接続要求メッセージが音声呼接続要求メッセージである場合には、該当メッセージに移動公衆網（ＰＬＭＮ）のための特定のサービス識別番号が含まれているか否かを確認する(ステップＳ１０３)。
【００９０】
仮に、該当メッセージにいずれの移動公衆網サービス識別番号も含まれていない場合には、該当無線端末が私設無線通信システムに加入している無線端末であるか否かについての端末認証を実行する(ステップＳ１０４)。
【００９１】
前記端末認証の結果、該当端末が私設無線通信システムに加入している無線端末である場合には、該当音声呼をＰＳＴＮ網に転送するために、ＰＳＴＮ網とのリンク状態を点検し（ステップＳ１０５）、ＰＳＴＮ網とのリンク状態が正常であるか否かを判定する(ステップＳ１０６)。
【００９２】
仮に、ＰＳＴＮとのリンク網状態が正常であると判定した場合には、受信された音声呼接続要求メッセージ（接続要求信号）をＰＳＴＮ網にルーティングして、ＰＳＴＮ網を通じて無線端末が音声サービスを受けられるようにする(ステップＳ１０７)。
【００９３】
しかしながら、前記ステップＳ１０３において受信された呼接続要求メッセージに移動公衆網サービス識別番号が含まれていると判定した場合、前記ステップＳ１０４において該当無線端末が私設無線通信システムに加入しておらず端末認証に失敗した場合及び、前記ステップＳ１０６においてＰＳＴＮ網のリンクまたは物理的回線に障害が発生したことに起因して現在のＰＳＴＮ網とのリンク状態が正常状態ではないと判定した場合には、私設無線通信システムは受信された音声呼接続要求メッセージを移動公衆網のＢＳＣにルーティングして、移動公衆網（ＰＬＭＮ）を通じて無線端末が音声通話サービスを受けられるようにする(ステップＳ１０８)。
【００９４】
一方、前記ステップＳ１０２において、受信された呼接続要求メッセージがデータ呼接続要求メッセージであると判定した場合には、私設無線通信システムは該当無線端末が私設無線通信システムに加入しているか否かについての認証処理を実行する(ステップＳ１０９)。
【００９５】
前記端末認証の結果、該当端末が私設無線通信システムに加入している無線端末であると判定した場合、即ち、端末認証に成功した場合には、私設無線通信システムはリンクする有線／無線インターネット網の状態を点検し（ステップＳ１１０）、有線／無線インターネット網のリンク状態が正常であるか否かを判定する(ステップＳ１１１)。
【００９６】
仮に、私設無線通信システムとリンクする有線／無線インターネット網のリンク状態が正常であると判定した場合には、該当データ呼を有線／無線インターネット網にルーティングする(ステップＳ１１２)。
【００９７】
一方、前記ステップＳ１０９における認証処理の結果、該当端末が私設無線通信システムに加入していない無線端末であると判定した場合、前記ステップＳ１１１においてインターネット網のリンク状態が正常ではないと判定した場合には、受信されたデータ呼接続要求メッセージ（接続要求信号）を移動公衆網のＢＳＣにルーティングして、移動公衆網（ＰＬＭＮ）を通じて無線端末がデータサービスを受けられるようにする(ステップＳ１０８)。
【００９８】
結局、本発明に従う私設無線通信システムにおける呼処理処置及びその方法によれば、私設無線通信システムの加入者が当該私設無線通信システムのサービス区域内で既設定された識別番号なしに一般的な移動公衆網（ＰＬＭＮ）に呼を発信しても、移動公衆網（ＰＬＭＮ）に呼を転送しないで私設無線通信システムとリンクしたＰＳＴＮ網あるいは有線／無線インターネット網に呼を転送することにより、私設無線通信システムの加入者に対して、より一層便利で安価な通信サービスを提供することが可能になる。
【図面の簡単な説明】
【００９９】
【図１】一般的な移動公衆網システムと私設無線通信システムとの間のネットワーク連結構成を示す図である。
【図２】本発明に従う私設無線通信システムにおける呼処理装置の構成を示すブロック図である。
【図３】無線端末から最初の呼接続時に伝送される発信呼メッセージの構成を示す図である。
【図４】移動公衆網で使用される識別番号についての一例を示す図である。
【図５】本発明に従う私設無線通信システムにおける呼処理方法のフローチャートである。
【符号の説明】
【０１００】
１０、１１  ＢＴＳ
２０  私設無線通信システム
２１  ルーティング処理部
２２  ＰＳＴＮ中継部
２３  インターネット中継部
２４  ＰＳＴＮ／インターネット状態管理部
２５  ｐＶＬＲ処理部
２６  呼処理部
【図１】
2006074771.tif 000003
【図２】
2006074771.tif 000004
【図３】
2006074771.tif 000005
【図４】
2006074771.tif 000006
【図５】
2006074771.tif 000007